(57)【特許請求の範囲】
【請求項１】
整経ドラムと、該整経ドラムの側面に回転自在に設けられかつ整経ドラムに糸を巻きつける複数個のヤーンガイドと、該整経ドラムを支持する基台の一端部に該ヤーンガイドに対応して設けられるとともに糸交換時には糸交換位置に回動突出し、糸収納時には待機位置に回動収納される複数個の回転式クリール用糸セレクトガイドとを有し、該ヤーンガイドと該糸セレクトガイドとの間で糸の受け渡しを行うことにより、予め設定された糸順序に従い、自動的に糸を交換し整経ドラム上に糸を巻きつけていくサンプル整経機であり、異種及び／又は同種の糸を巻いてある複数本のボビンを立てる複数の回転式クリールを前記整経ドラムに対して設置したことを特徴とするサンプル整経機。
【請求項２】
前記複数の回転式クリールの糸を各々に対応する回転式クリール用糸セレクトガイドにそれぞれ収納し、整経ドラム上に糸を巻きつけるにあたり、予め設定された柄データに従いいずれの回転式クリールを使って整経するかを判断し、該複数の回転式クリールを選択して使用することを特徴とする請求項１記載のサンプル整経機。
【請求項３】
予め設定された柄データにより指定された回転式クリールで複本数の糸を同時整経する場合には、該回転式クリールの回転と複数個のヤーンガイドの回転とは同期運転を行い、該回転式クリールに対応した回転式クリール用糸セレクトガイドによって前記複数個のヤーンガイドに糸の受け渡しができるようにし、指定されない回転式クリールは前記ヤーンガイドの回転と同期運転をせずに不動状態としたことを特徴とする請求項１又は２記載のサンプル整経機。
【請求項４】
予め設定された柄データにより指定された回転式クリールで一本の糸を整経する場合には、該回転式クリールは不動状態とし、かつ、該回転式クリールに対応した回転式クリール用糸セレクトガイドと、複数個のヤーンガイドの１つとの間で糸の受渡しができるようにし、指定されない回転式クリールは前記ヤーンガイドの回転と同期運転をせずに不動状態としたことを特徴とする請求項１〜３のいずれか１項記載のサンプル整経機。
【請求項５】
請求項１〜４のいずれか１項記載のサンプル整経機を用いる整経方法であって、整経ドラム上に糸を巻きつけるにあたり、予め設定された柄データに従いいずれの回転式クリールを使って整経するかを判断し、該複数の回転式クリールを選択して使用するようにしたことを特徴とする整経方法。
【請求項６】
前記柄データのうち、複雑な柄整経の部分には指定された１つの回転式クリールを不動状態として一本の糸による柄整経を行うことを特徴とする請求項５記載の整経方法。
【請求項７】
前記柄データのうち、無地整経又は単純な柄整経の部分には複数の回転式クリールを用いて２本以上の糸による複本数同時整経を行うようにしたことを特徴とする請求項５記載の整経方法。
【請求項８】
整経ドラムを支持する基台の一端部にヤーンガイドに対応して設けられるとともに糸保持交換時には糸交換位置に回動突出し、糸収納時には待機位置に回動収納される複数個の固定式クリール用糸セレクトガイドをさらに設け、異種及び／又は同種の糸を巻いてある複数本のボビンを立てる少なくとも一つの固定式クリールを前記整経ドラムに対して設置したことを特徴とする請求項１〜４のいずれか１項記載のサンプル整経機。
【請求項９】
前記複数の回転式クリール及び少なくとも１つの固定式クリールの糸を各々に対応する糸セレクトガイドにそれぞれ収納し、整経ドラム上に糸を巻きつけるにあたり、予め設定された柄データに従い複数の回転式クリール及び少なくとも一つの固定式クリールのいずれか１つを使って整経するかを判断し、選択して使用することを特徴とする請求項８記載のサンプル整経機。
【請求項１０】
予め設定された柄データにより指定された回転式クリールで複本数の糸を同時整経する場合には、該回転式クリールの回転と複数個のヤーンガイドの回転とは同期運転を行い、該回転式クリールに対応した回転式クリール用糸セレクトガイドによって糸の受け渡しができるようにし、指定されない回転式クリールは前記ヤーンガイドの回転と同期運転をせずに不動状態としたことを特徴とする請求項８又は９記載のサンプル整経機。
【請求項１１】
予め設定された柄データにより指定された固定式クリールで一本の糸を整経する場合には、指定されない回転式クリールは前記ヤーンガイドの回転と同期運転をせずに不動状態としたことを特徴とする請求項８〜１０のいずれか１項記載のサンプル整経機。
【請求項１２】
請求項８〜１１のいずれか１項記載のサンプル整経機を用いる整経方法であって、整経ドラム上に糸を巻きつけるにあたり、予め設定された柄データに従い複数の回転式クリール及び少なくとも一つの固定式クリールのいずれを使って整経するかを判断し、該複数の回転式クリール及び固定式クリールを選択して使用するようにしたことを特徴とする整経方法。
【請求項１３】
前記柄データのうち、複雑な柄整経の部分には少なくとも１つの固定式クリールを用いて柄整経を行い、無地整経又は単純な柄整経の部分には複数の回転式クリールを用いて２本以上の糸による複本数同時整経を行うようにしたことを特徴とする請求項１２記載の整経方法。
【発明の詳細な説明】
【０００１】
【発明の属する技術分野】
本発明は、無地整経と柄整経とを必要とする整経作業において、異色の糸による柄部分の多少にかかわらず整経時間を短縮して極めて効率よく行うことができるようにしたサンプル整経機及び整経方法に関するものである。
【０００２】
【関連技術】
従来使用されているサンプル整経機としては例えば特許第１５２９１０４号に開示された構造、即ち異種（異色又は撚りの異なる）の糸を巻いてある複数本のボビンを立てる固定式クリールを用い、予め設定された柄データ（糸順序）に従い糸セレクトガイドによって糸交換を行いつつヤーンガイドにより整経ドラム上に糸を巻付けていくものが知られている。
【０００３】
また、回転式クリールを用いるとともに糸交換工程を省略し、糸交換時の時間的ロスを皆無としかつ複本数の糸を同時に整経ドラムに巻付けることを可能とし、さらに整経作業時間の短縮を可能とした複本数同時整経可能なサンプル整経機も知られている（特許第１７６７７０６号、ＵＳＰ４, ９７２, ６６２及びＥＰ０３７５４８０）。
【０００４】
サンプル整経機に使用されるクリールを区別すると、上述したごとく、固定式クリールと回転式クリールと称される２つのクリール方式に区別される。
【０００５】
固定式クリールは、同種及び／又は異種の糸（主として異種の糸）を巻いてある複数本のボビンを有しており、糸一本ずつの整経をすることができるため、柄整経の整経作業を行うことができる利点があるが、一本の糸を順次整経ドラムに巻きつけるために整経作業時間がそれだけかかるという不利がある。一方、回転式クリールは、同種及び／又は異種の糸を巻いてある複数本のボビンを有しており、無地整経（例えば、赤色糸一色）、１対１（例えば、赤１と白１の繰り返し、Ｓ撚１本とＺ撚１本の繰り返し）、２対２（例えば、赤２本と白２本の繰り返し、Ｓ撚２本とＺ撚２本の繰り返し）等のごく限られたパターンの整経に使用可能である。この回転式クリールは、限られたパターン整経以外の柄整経の整経作業を行うことはできないという不利があるが、複本数の糸を同時に整経ドラムに巻きつけるために整経時間が大幅に短縮されるという利点がある。
【０００６】
例えば、柄の織物を織成するための縦糸の整経を行う場合においては、無地部分もかなりあり、回転式クリールを用いて無地整経を行うことが整経時間の点からは有利であるが、異色の糸による柄部分を有するために回転式クリールを用いることは不可能であり、固定式クリールを使用せざるをえなかった。固定式クリールを用いる場合には、無地整経部分も糸を一本ずつ整経ドラムに巻きつけるので、整経時間がそれぞれかかるため、整経作業としてはそれだけ効率の悪い作業を行わざるを得なかった。
【０００７】
そこで本発明者は、無地整経と柄整経とを必要とする整経作業を整経時間を短縮して効率よく行うことができるようにするために、整経ドラムの側面に回転自在に設けられかつ整経ドラムに糸を巻きつける複数個の導糸手段と、該導糸手段の先端部に設けられた糸保持を行う導糸部材と、該整経ドラムを支持する基台の一端部に該導糸手段に対応して設けられるとともに糸交換時には糸交換位置に回動突出し、糸収納時には待機位置に回動収納される糸セレクトガイドとを有し、導糸手段と糸セレクトガイドとの間で糸の受け渡しを行うことにより、予め設定された糸順序に従い、自動的に糸を交換し整経ドラム上に糸を巻きつけていくサンプル整経機であり、異種及び／又は同種の糸を巻いてある複数本のボビンを立てる固定式クリール及び異種及び／又は同種の糸を巻いてある複数本のボビンを立てる回転式クリールを前記糸セレクトガイドに対応してそれぞれ設置したことを特徴とする図８に示したようなサンプル整経機を提案した（特開２０００−１３６４５６号）。
【０００８】
図１２において、従来のサンプル整経機Ｗは、整経ドラムＡの側面に回転自在に設けられかつ整経ドラムＡに糸２２ｍ，２２ｎを巻付ける複数本（図示例では８本）のヤーンガイド６ａ〜６ｈと、該整経ドラムＡを支持する基台Ｙの一端部に該ヤーンガイド６ａ〜６ｈに対応して設けられるとともに糸交換時には糸交換位置に回動突出し、糸収納時には待機位置に回動収納される糸セレクガイド２７と、該糸セレクトガイド２７に対応してそれぞれ設置されかつ異種及び／又は同種の糸２２ｍを巻いてある複数本のボビン１０６を立てる固定式クリールＢ及び異種及び／又は同種の糸２２ｎを巻いてある複数本のボビン１２６を立てる回転式クリールＦとを有し、ヤーンガイド６ａ〜６ｈと糸セレクトガイド２７との間で糸２２ｍ，２２ｎの受け渡しを行うことにより、設定された糸順序に従い自動的に糸を交換し、整経ドラムＡ上に糸を巻付けるものである。
【０００９】
このサンプル整経機は本願出願人によって開発されたものであるが、無地整経及び１対１、２対２等の簡単なパターンの繰り返し整経（以下無地整経と云う）と柄整経とが混在するデザインの整経において無地整経部分を回転式クリールで柄整経部分を固定式クリールで併用して整経が可能なサンプル整経機として好評を得ている。
【００１０】
しかしながら、上記したような固定式クリールと回転式クリールとを併用して整経できるデザインの整経というものは多いが、回転式クリールで整経可能な無地整経部分のパターン（配色）が１通りのパターンであれば１台の回転式クリールで対応できるが、無地整経部分のパターン（配色）が２通りある場合には、１つ目のパターン部分は回転式クリールを使用して複本数同時整経をし、残る無地整経部分のパターンは固定式クリールを使用して柄整経と同じく１本づつの整経を実施していた。
【００１１】
【発明が解決しようとする課題】
本発明は、上記した従来技術の問題点に鑑みなされたもので、無地整経と柄整経とが混在するデザインの整経において無地整経のパターン（配色）が２通り以上ある整経の整経時間を大幅に短縮して極めて効率よく整経を行うことができるようにしたサンプル整経機及び整経方法を提供することを目的とする。
【００１２】
上記課題を解決するために、本発明のサンプル整経機は、整経ドラムと、該整経ドラムの側面に回転自在に設けられかつ整経ドラムに糸を巻きつける複数個のヤーンガイドと、該整経ドラムを支持する基台の一端部に該ヤーンガイドに対応して設けられるとともに糸交換時には糸交換位置に回動突出し、糸収納時には待機位置に回動収納される複数個の回転式クリール用糸セレクトガイドとを有し、該ヤーンガイドと該糸セレクトガイドとの間で糸の受け渡しを行うことにより、予め設定された糸順序に従い、自動的に糸を交換し整経ドラム上に糸を巻きつけていくサンプル整経機であり、異種及び／又は同種の糸を巻いてある複数本のボビンを立てる複数の回転式クリールを前記整経ドラムに対して設置したことを特徴とする。
【００１３】
前記複数の回転式クリールの糸を各々に対応する回転式クリール用糸セレクトガイドにそれぞれ収納し、整経ドラム上に糸を巻きつけるにあたり、予め設定された柄データに従いいずれの回転式クリールを使って整経するかを判断し、該複数の回転式クリールを選択して使用するように構成される。
【００１４】
予め設定された柄データにより指定された回転式クリールで複本数の糸を同時整経する場合には、該回転式クリールの回転と複数個のヤーンガイドの回転とは同期運転を行い、該回転式クリールに対応した回転式クリール用糸セレクトガイドによって前記複数個のヤーンガイドに糸の受け渡しができるようにし、指定されない回転式クリールは前記ヤーンガイドの回転と同期運転をせずに不動状態とし、且つ不動状態の回転式クリールに対応した回転式クリール用セレクトガイドも不動状態となるように構成するのが好適である。
【００１５】
予め設定された柄データにより指定された回転式クリールで一本の糸を整経する場合には、該回転式クリールは不動状態とし、かつ、該回転式クリールに対応した回転式クリール用糸セレクトガイドと、複数個のヤーンガイドの１つとの間で糸の受渡しができるようにし、指定されない回転式クリールは前記ヤーンガイドの回転と同期運転をせずに不動状態となるように構成するのが好ましい。
【００１６】
本発明の整経方法は、上述した整経機を用い整経ドラム上に糸を巻きつけるにあたり、予め設定された柄データに従いいずれの回転式クリールを使って整経するかを判断し、該複数の回転式クリールを選択して使用するようにしたことを特徴とする。
【００１７】
前記柄データのうち、複雑な柄整経の部分には指定された１つの回転式クリールを不動状態として一本の糸による柄整経を行うように構成するのが好ましい。
【００１８】
前記柄データのうち、無地整経又は単純な柄整経の部分には複数の回転式クリールを用いて２本以上の糸による複本数同時整経を行うように構成するのが好適である。
【００１９】
本発明のサンプル整経機の第二の実施の形態は、整経ドラムを支持する基台の一端部にヤーンガイドに対応して設けられるとともに糸保持交換時には糸交換位置に回動突出し、糸収納時には待機位置に回動収納される複数個の固定式クリール用糸セレクトガイドをさらに設け、異種及び／又は同種の糸を巻いてある複数本のボビンを立てる少なくとも一つの固定式クリールを前記整経ドラムに対して設置したことを特徴とする。
【００２０】
前記複数の回転式クリール及び少なくとも１つの固定式クリールの糸を各々に対応する糸セレクトガイドにそれぞれ収納し、整経ドラム上に糸を巻きつけるにあたり、予め設定された柄データに従い複数の回転式クリール及び少なくとも一つの固定式クリールのいずれか１つを使って整経するかを判断し、選択して使用するように構成される。
【００２１】
予め設定された柄データにより指定された回転式クリールで複本数の糸を同時整経する場合には、該回転式クリールの回転と複数個のヤーンガイドの回転とは同期運転を行い、該回転式クリールに対応した回転式クリール用糸セレクトガイドによって糸の受け渡しができるようにし、指定されない回転式クリールは前記ヤーンガイドの回転と同期運転をせずに不動状態とし、且つ不動状態の回転式クリールに対応した回転式クリール用セレクトガイドも不動状態となるように構成するのが好適である。
【００２２】
予め設定された柄データにより指定された固定式クリールで一本の糸を整経する場合には、指定されない回転式クリールは前記ヤーンガイドの回転と同期運転をせずに不動状態となるように構成するのがより好適である。
【００２３】
本発明の整経方法の第二の実施の形態は、上述したサンプル整経機を用い、整経ドラム上に糸を巻きつけるにあたり、予め設定された柄データに従い複数の回転式クリール及び少なくとも一つの固定式クリールのいずれを使って整経するかを判断し、該複数の回転式クリール及び固定式クリールを選択して使用するようにしたことを特徴とする。
【００２４】
前記柄データのうち、複雑な柄整経の部分には少なくとも１つの固定式クリールを用いて柄整経を行い、無地整経又は単純な柄整経の部分には複数の回転式クリールを用いて２本以上の糸による複本数同時整経を行うように構成するのが好ましい。
【００２５】
【発明の実施の形態】
以下に、本発明の実施の形態を添付図面に基づいて説明するが、図示例はあくまでも例示的なものであり、本発明の技術思想から逸脱しない限り図示例以外にも種々の変形が可能なことはいうまでもない。
【００２６】
図１において、本発明のサンプル整経機Ｗは、整経ドラムＡと、該整経ドラムＡの側面に回転自在に設けられかつ整経ドラムＡに糸２２を巻付ける複数本（図示例では８本）のヤーンガイド６ａ〜６ｈと、該整経ドラムＡを支持する基台Ｙの一端部に該ヤーンガイド６ａ〜６ｈに対応して設けられるとともに糸交換時には糸交換位置に回動突出し、糸収納時には待機位置に回動収納される回転式クリール用糸セレクトガイド２７と、該糸セレクトガイド２７に対応してそれぞれ設置されかつ異種及び／又は同種の糸２２を巻いてある複本数のボビン１１６を立てる回転式クリールＦ1 及び異種及び／又は同種の糸２２を巻いてある複本数のボビン１２６を立てる回転式クリールＦ2 とを有し、ヤーンガイド６ａ〜６ｈと回転式クリール用糸セレクトガイド２７との間で糸２２の受け渡しを行うことにより、設定された糸順序に従い自動的に糸を交換し、整経ドラムＡ上に糸を巻付けるものである。なお、サンプル整経機Ｗの基本的構造及び作用は上記した特許公報等により広く知られており、詳細な説明は省略する。
【００２７】
図１の実施の形態では、回転式クリールを使用して２本以上の糸の複数本同時整経を行う場合を示してあり、指定された回転式クリールＦ1 はヤーンガイド６ａ〜６ｈと同期運転を行い、指定されない回転式クリールＦ2は不動状態とされている。なお、図２に示したように、回転式クリールＦ2を指定してヤーンガイド６ａ〜６ｈと同期運転を行い、回転式クリールＦ1 を不動状態とすることができることはもちろんである。
【００２８】
なお、図示の例では回転式クリールを２台設けた例を示したが、回転式クリールを２台以上設ける構成とすることができることは言うまでもない。
【００２９】
このように本発明のサンプル整経機Ｗにおいては、回転式クリールＦ1の糸２２及びもう一つの回転式クリールＦ2の糸２２を対応する回転式クリール用糸セレクトガイド２７にそれぞれ収納し、該回転式クリールＦ1の糸２２及び回転式クリールＦ2の糸２２を併用可能とし、整経ドラムＡ上に必要に応じて回転式クリールＦ1の糸２２及び回転式クリールＦ2の糸２２をそれぞれ順次巻付けることができるようになっている。
【００３０】
本発明のサンプル整経機のさらに別の使用態様を図３に示す。図３において、本発明のサンプル整経機Ｗは、回転式クリールＦ1及び回転式クリールＦ2 は不動状態とされ、かつ、該回転式クリールＦ1の一つのボビンに対応した回転式クリール用糸セレクトガイドのうちの１個の糸セレクトガイドから、複数個のヤーンガイドの１つに糸を受け渡し、ヤーンガイドから糸セレクトガイドへの糸の収納を行うことにより、設定された糸順序に従い自動的に糸を交換し、整経ドラムＡ上に糸を巻付ける構成とされている。
【００３１】
さらに、本発明のサンプル整経機の第二の使用態様を図４に示す。図４において、本発明のサンプル整経機Ｗは、整経ドラムＡと、該整経ドラムＡの側面に回転自在に設けられかつ整経ドラムＡに糸２２を巻付ける複数本（図示例では８本）のヤーンガイド６ａ〜６ｈと、該整経ドラムＡを支持する基台Ｙの一端部に該ヤーンガイド６ａ〜６ｈに対応して設けられるとともに糸交換時には糸交換位置に回動突出し、糸収納時には待機位置に回動収納される回転式クリール用糸セレクトガイド２７及び固定式クリール用糸セレクトガイド２７と、該糸セレクトガイド２７に対応してそれぞれ設置されかつ異種及び／又は同種の糸２２を巻いてある複本数のボビン１１６を立てる回転式クリールＦ1 、異種及び／又は同種の糸２２を巻いてある複本数のボビン１２６を立てる回転式クリールＦ2 及び異種及び／又は同種の糸２２を巻いてある複本数のボビン１２６を立てる固定式クリールＢとを有し、ヤーンガイド６ａ〜６ｈと回転式クリール用糸セレクトガイド２７及び固定式クリール用糸セレクトガイドとの間で糸２２の受け渡しを行うことにより、設定された糸順序に従い自動的に糸を交換し、整経ドラムＡ上に糸を巻付けるものである。
【００３２】
図示の例では、２台の回転式クリールを設け、１台の固定式クリールを設けた例を示してあるが、回転式クリールを２台以上設けて固定式クリールを１台以上設ける構成とすることができることはいうまでもない。また、図４において、回転式クリールＦ1を指定してヤーンガイド６ａ〜６ｈと同期運転を行い、指定されない回転式クリールＦ2 は該ヤーンガイドと同期運転をせずに不動状態とすることができることはもちろんである。
【００３３】
１７は整経ドラムＡの周面に移動可能に設定されたコンベアベルトであり、このコンベアベルト１７は整経条件（整経本数、整経幅、整経巻回数等）によりコンベアベルト送り手段により送り量を制限されており、その移動は、ヤーンガイドの回転と同期している。又、１８ａ〜１８ｇは綾取りバーであり、この綾取りバー１８ａ〜１８ｇのヤーンガイド側先端部には綾取手段（図示せず）があり、その綾取手段により、糸の綾を形成することができる。
【００３４】
前記した回転式クリール用糸セレクトガイド２７又は固定式クリール用糸セレクトガイド２７としては、例えば図１３に示したような従来公知のものが使用可能である。図１３において、複数個の糸セレクトガイド２７は、プログラム設定器の指示により複数本の糸２２の各々をセレクトガイドする。該糸セレクトガイド２７はそれぞれのロータリーソレノイド２９にそれぞれ取り付けられており、ロータリーソレノイド２９がオンとなると回動して図１４に仮想線で示した作動位置（糸交換位置）に進出し、ロータリーソレノイド２９がオフとなると逆に回動して図１４に実線で示した待機位置（糸収納位置）に復帰するように動作する。
【００３５】
糸交換の際の糸２２の動きは図１４及び図１５に示される。最初は実線で示した待機位置（糸収納位置）にある糸セレクトガイド２７によって保持されている糸２２ｋは、該糸セレクトガイド２７が回動して仮想線で示した作動位置（糸交換位置）に進出すると糸２２ｌの状態となり、この状態からヤーンガイド６が回転してくると、その先端糸保持部６'に引っかかり整経ドラムＡに巻付けられる。糸が外された糸セレクトガイド２７は待機位置（糸収納位置）に戻る。整経ドラムＡに一回巻かれた糸の状態が２２ｍであり、糸交換しなければこの状態のようにガイドプレートＳの上側を糸は通過しながら、整経ドラムＡに糸を巻付ける。
【００３６】
糸外し装置３２によって巻付け中の糸２２ｍが外されると、図１５のように２２ｍの糸は不図示の引き戻し装置により回転式クリール側へ引き戻されると同時にガイドロッド５９ａによってガイドプレートＳの下側へ導かれ、次に糸２２ｎの状態となる。外された糸をキャッチするために回動して作動位置（糸交換位置）に進出してきた糸セレクトガイド２７によって外された糸２２ｎはキャッチされ、該糸セレクトガイド２７は糸を保持して待機位置（糸収納位置）に戻る。この時の待機状態の糸は、図１５の２２ｐとなる。
【００３７】
図１３〜図１５において、１６は整経ドラムＡのドラムスポーク、１７はドラムスポーク１６に設けられたコンベアベルト、５９は整経ドラムＡの側面に設けられた導糸カバー、５９ａは該導糸カバー５９の下部端縁部に設けられたガイドバー、Ｅは糸止め具である。
【００３８】
なお、前記回転式クリールとしては、従来公知のものが使用でき、例えば、特開平２０００−１３６４５６号に記載の回転式クリールを用いることが可能である。
【００３９】
上述した構成により、例えば２台の回転式クリールを設けた本発明のサンプル整経機を用いて柄の織物を織成するための縦糸の整経を行う場合を以下に説明する。
【００４０】
例えば、図５の様な整経指図書が発行されると、オペレータは図６にしめした如くの整経と判断する。つまり、赤の色糸２本、黒の色糸２本の繰り返しによる１２０本の整経、茶の色糸を２０本、続いて茶の色糸２本及び黄の色糸２本の繰り返しによる１２０本の整経、そして黒の色糸２０本による合計２９２０本の整経による柄デザインと判断し、その準備を行う。
【００４１】
整経に先立って、整経条件をデータとして整経機に入力する必要がある。通常、整経条件入力にはコンピュータ（図示せず）を使用し、該データをプログラム入力して整経機に送る。回転式クリールを例えば２台使用した場合の入力方法の一例を以下に示す。
【００４２】
まず最初に、整経条件として回転式クリールの糸配置を入力する。図７においては、総整経本数が２９２０本、整経幅が１６５ｃｍ、整経長が１０５ｍの場合の回転式クリールの糸配置例が示されている。次に、回転式クリールＦ1及び回転式クリールＦ2の色データ欄に色データを入力する。色データ欄に入力した数（つまり、８本同時整経の場合は８個、７本同時整経の場合は７個入力する）により同時整経本数の判断も可能である。図７のクリールの糸配置例は８本同時整経の場合を示したもので、回転式クリールＦ1の色データ欄にはボビンＮｏ．１，２，３，４，５，６，７，８に対応してそれぞれＲ（赤），Ｒ（赤），Ｂ（黒），Ｂ（黒），Ｒ（赤），Ｒ（赤），Ｂ（黒），Ｂ（黒）と入力し、回転式クリールＦ2の色データ欄にはボビンＮｏ．１，２，３，４，５，６，７，８に対応してそれぞれＢＲ（茶），ＢＲ（茶），Ｙ（黄），Ｙ（黄），ＢＲ（茶），ＢＲ（茶），Ｙ（黄），Ｙ（黄）と入力する。
【００４３】
また、図８に示すようにさらなる整経条件として、整経順番、使用クリール、同時整経本数、整経本数、及びセレクトガイドＮｏを入力する。図８で同時整経本数欄に「１」と入力した場合には、指定された回転式クリールは整経機のヤーンガイドの回転とは同期運転をせずに不動状態とされ、指定されたセレクトガイドＮｏの糸を用いて整経を行う。該同時整経本数欄に「２」以上の数値を入力した場合には、指定された回転式クリールは、指定されたヤーンガイドの回転と同期運転を行うように予め設定されている。
【００４４】
ここで、図６に示した柄整経の準備及び進行を説明する。まず、各回転式クリールのボビンＮｏ．１〜Ｎｏ．１６の糸を整経機の対応する回転式クリール用糸セレクトガイドＮｏ．１〜Ｎｏ．１６に収納する。データを入力し、起動スイッチをＯＮとすると、クリールが選択されると同時に、ヤーンガイドが回転し、回転式クリール用糸セレクトガイドＮｏ．１〜Ｎｏ．８の糸が対応する８本のヤーンガイドに供給され、指定された回転式クリールＦ1はヤーンガイドの回転と同期運転をしながら８本同時整経が始まり、色データＲ（赤），Ｒ（赤），Ｂ（黒），Ｂ（黒）の配色デザインの整経を１２０本（柄ａの部分）実施する。該回転式クリールＦ1による８本同時整経が終了するとヤーンガイドから回転式クリール用糸セレクトガイドＮｏ．１〜Ｎｏ．８に糸が収納され、回転式クリールＦ1は同期運転を停止する。
【００４５】
続いて、回転式クリールＦ2が選択されると、回転式クリール用糸セレクトガイドＮｏ．９の糸が対応する１本のヤーンガイドに供給され、該回転式クリールＦ2は不動状態のまま１本の糸での整経が始まり、色データＢＲ（茶）のデザイン整経を２０本（柄ｂの部分）実施する。整経が終了すると該ヤーンガイドから該糸セレクトガイドＮｏ．９に糸が収納される。
【００４６】
次に、回転式クリールＦ2が選択されると、回転式クリール用糸セレクトガイドＮｏ．９〜Ｎｏ．１６の糸が対応する８本のヤーンガイドに供給され、該回転式クリールＦ2はヤーンガイドの回転と同期運転をしながら８本同時整経が始まり、色データＢＲ（茶），ＢＲ（茶），Ｙ（黄），Ｙ（黄）の配色デザインの整経を１２０本（柄ｃの部分）実施する。当該整経が終了すると該８本のヤーンガイドから該糸セレクトガイドＮｏ．９〜Ｎｏ．１６に糸が収納され、回転式クリールＦ2は同期運転を停止する。
【００４７】
続いて、回転式クリールＦ1が選択されると、糸セレクトガイドＮｏ．３の糸が対応する１本のヤーンガイドに供給され、回転式クリールＦ1は不動状態のまま１本の糸での整経が始まり、色データＢ（黒）のデザイン整経を２０本（柄ｄの部分）実施する。当該整経が終了すると該１本のヤーンガイドから対応する糸セレクトガイドＮｏ．３に糸が収納される。
【００４８】
ここまでが一柄分の整経であり、この一柄２８０本の整経を１０回繰り返して２８００本分の整経を行い、最後に柄ａの１２０本分の整経を行えば、総整経本数２９２０本の全整経が終了となる。
【００４９】
図６に示された柄整経を、従来のサンプル整経機を用いて一本づつの整経を行った場合には、所要整経時間はおよそ３０７分かかる。そして、図１２で示した従来の固定式及び回転式クリールを併用したサンプル整経機を用いて図６に示された柄整経を行った場合には、所要整経時間はおよそ１９２分である。一方、例えば回転式クリールを２台設けた本発明のサンプル整経機を用いて整経を実施した場合の整経所要時間は、約７７分である。
【００５０】
上記から明らかな如く、本発明のサンプル整経機を用いて整経を実施した場合には従来の整経機を用いて整経を実施した場合と比較して非常に短時間（約７７分）で整経が可能となり、無地整経のみでなく柄整経も極めて効率よく短時間に行うことができる。
【００５１】
次に、例えば２台の回転式クリール及び１台の固定式クリールを設けた本発明のサンプル整経機を用いて柄の織物を織成するための縦糸の整経を行う場合を以下に説明する。
【００５２】
サンプル整経機の回転式クリール用セレクトガイド及び固定式クリール用セレクトガイドには全て番号が付いており、その番号でセレクトガイドをＯＮ／ＯＦＦする制御をしている。Ｎｏｓ．ａ〜ｊは固定式クリール用セレクトガイドの番号であり、また、Ｎｏｓ．１〜８は回転式クリールＦ1のセレクト番号であり、Ｎｏｓ．９〜１６は回転式クリールＦ2のセレクト番号と前もって決められている、ということで以下説明する。
【００５３】
図９は織物設計者より整経部門へ出される整経指図書の１例を示す図表であり、通常、図９の如く整経本数、整経幅、整経長、整経デザイン及び使用糸の番手・色データ等の糸データが含まれる。図示の例では便宜上糸データ欄にはＧ（緑），Ｙ（黄），Ｂ（黒），Ｒ（赤）と記載してある。
【００５４】
図９の設計デザインを整経幅全体に展開したものを図１０に示す。つまり、緑の糸を９６本、黄の糸を２本、黒の糸を４８本、赤の糸を２本、黒の糸を４８本、赤の糸を２本、黒の糸を４８本、黄の糸を２本、緑の糸を９６本の柄の繰り返し整経である。
【００５５】
この指図書を基に整経データの入力及び糸の準備を行う。図１１のデザイン条件入力例で説明すると、まず、整経番号（整経指図番号）、整経総本数、整経幅、整経長、整経デザインの順で入力する。整経デザインの入力では、１柄デザインを整経順（Ｎｏ）、クリールの指定、整経本数、同時整経本数及び色データを入力する。つまり、整経順１は緑の糸９６本の整経であるのでこの部分は回転式クリールを使用し、８本の同時整経本数をすることにしてクリール指定欄に回転クリールＦ1を使用するとして「Ｆ1」、色データ欄に「Ｇ」、整経本数欄に「９６」、同時整経本数欄には「８」、セレクトガイドＮｏｓ．入力欄に「１〜８」と入力する。
【００５６】
整経順２は黄の糸２本の整経であるので、この部分は固定式クリールを使用し、固定式クリール用セレクトガイドＮｏ．ａを使用して、１本づつの整経をすることにして、色データ欄に「Ｙ」、整経本数欄には「２」、セレクトガイドＮｏｓ．入力欄に「ａ」と入力する。図示の例では、固定式クリールは１台しか設けておらず、固定式クリールのボビンに対応するセレクトガイドＮｏを入力するだけで足りる。なお、複数の固定式クリールを設けて整経を行う場合には、使用クリールの指定欄において使用する固定式クリールの指定を行うことはもちろんである。
【００５７】
整経順３は黒の糸４８本の整経であるので、この部分は回転式クリールを使用し、８本の同時整経をすることにして使用クリールの指定欄に回転式クリールＦ2を使用するとのことで「Ｆ2」、色データ欄に「Ｂ」、整経本数欄には「４８」、同時整経本数欄には「８」、セレクトガイドＮｏｓ．入力欄に「９〜１６」と入力する。
【００５８】
整経順４は赤の糸２本の整経であるので、この部分は固定式クリールを使用し、固定式クリール用セレクトガイドＮｏ．ｂを使用して１本づつの整経をすることにして色データ欄に「Ｂ」、整経本数欄には「２」、セレクトガイドＮｏｓ．入力欄に「ｂ」と入力する。
【００５９】
整経順５は黒の糸４８本の整経であるので、この部分は回転式クリールを使用し、８本の同時整経をすることにして使用クリールの指定欄に回転式クリールＦ2を使用するとのことで「Ｆ2」、色データ欄に「Ｂ」、整経本数欄には「４８」、同時整経本数欄には「８」、セレクトガイドＮｏｓ．入力欄に「９〜１６」と入力する。
【００６０】
整経順６は赤の糸２本の整経であるので、この部分は固定式クリールを使用し、固定式クリール用セレクトガイドＮｏ．ｂを使用して１本づつの整経をすることにして、色データ欄に「Ｂ」、整経本数欄には「２」、セレクトガイドＮｏｓ．入力欄に「ｂ」と入力する。
【００６１】
整経順７は黒の糸４８本の整経であるので、この部分は回転式クリールを使用し、８本の同時整経をすることにしてクリール指定欄に回転式クリールＦ2を使用するとのことで「Ｆ2」、色データ欄に「Ｂ」、整経本数欄には「４８」、同時整経本数欄には「８」、セレクトガイドＮｏｓ．入力欄に「９〜１６」と入力する。
【００６２】
整経順８は黄の糸２本の整経であるので、この部分は固定式クリールを使用し、固定式クリール用セレクトガイドＮｏ．ａを使用して１本づつの整経をすることにして、色データ欄に「Ｙ」、整経本数欄には「２」、セレクトガイドＮｏｓ．入力欄に「ａ」と入力する。
【００６３】
整経順９は緑の糸９６本の整経であるので、 この部分は回転式クリールを使用し、８本の同時整経本数をすることにしてクリール指定欄に回転クリールＦ1を使用するとして「Ｆ1」、色データ欄に「Ｇ」、整経本数欄に「９６」、同時整経本数欄には「８」、セレクトガイドＮｏｓ．入力欄に「１〜８」と入力する。
【００６４】
以上により本発明の整経機の第二の形態として、例えば２台の回転式クリールと１台の固定式クリールを用いた場合の整経の情報が入力できる。クリール指定欄にａからｊのアルファベットを入力すれば固定式クリールを使用する整経であり、Ｆ1、Ｆ2を入力すれば回転式クリールの指定と回転式クリールを使用する整経と予め取り決められている。
【００６５】
又、同時整経本数欄に同時整経本数を入力することにより、同時整経本数の情報が入力できるとともに、綾取及びヤーンガイド１回転あたりのコンベアベルト送り量等の制御情報も兼ねることが可能である。
【００６６】
この整経デザインに基づいて、回転式クリールＦ1には緑の糸のボビンを８本、回転式クリールＦ2には黒の糸のボビンを８本、固定式クリールＢには黄の糸のボビンと赤の糸のボビンを仕掛け、それぞれのボビンから引出した糸を、対応するそれぞれのセレクトガイドに仕掛ける。つまり、回転式クリールＦ1から引出された糸はＮＯ．１からＮＯ．８の回転式クリール用セレクトガイドへ、回転クリールＦ2から引出された糸はＮＯ．９からＮＯ．１６の回転式クリール用セレクトガイドへ固定式クリールＢから引出された黄の糸はＮＯ．ａの固定式クリール用セレクトガイドへ、赤の糸はＮＯ．ｂの固定式クリール用セレクトガイドへ仕掛ける。
【００６７】
又、整経を開始すると前述した予め設定された整経デザインに基づいて、先ず回転式クリールＦ1が選択され、ヤーンガイドの回転に合わせ、回転式クリールＦ1が同期運転を始め、回転式クリールＦ1に対応したＮＯ．１からＮＯ．８の回転式クリール用セレクトガイドが随時動作し、複数本のヤーンガイドへ１本づつ糸を受渡し、８本の緑の色糸の同時整経が開始され、整経本数が９６本になると、前記ヤーンガイドからＮＯ．１からＮＯ．８の回転式クリール用セレクトガイドに糸は収納され、回転式クリールＦ1の同期運転は停止する。
【００６８】
つづいて、固定式クリールが選択され、ＮＯ．ａの固定式クリール用セレクトガイドが動作し、複本数のヤーンガイドの１個のヤーンガイドへ糸を受渡し、黄の糸２本が整経されるとヤーンガイドからＮＯ．ａの固定式クリール用セレクトガイドに糸は収納される。
【００６９】
つづいて、回転式クリールＦ2が選択され、ヤーンガイドの回転に合わせ、回転式クリールＦ2が同期運転を始め、回転式クリールＦ2に対応したＮＯ．９からＮＯ．１６の回転式クリール用セレクトガイドが随時動作し、複数本のヤーンガイドへ１本づつ糸を受渡し、８本の黒糸の同時整経が開始され、整経本数が４８本になると、前記ヤーンガイドからＮＯ．９からＮＯ．１６の回転式クリール用セレクトガイドに糸は収納され、回転式クリールＦ2の同期運転は停止する。
【００７０】
つづいて、固定式クリールが選択され、ＮＯ．ｂの固定式クリール用セレクトガイドが動作し、複本数のヤーンガイドの１個のヤーンガイドへ糸を受渡し、赤の糸２本が整経されるとヤーンガイドからＮＯ．ｂの固定式クリール用セレクトガイドに糸は収納される。
【００７１】
つづいて、回転式クリールＦ2が選択され、ヤーンガイドの回転に合せ、回転式クリールＦ2が同期運転を始め、回転式クリールＦ2に対応したＮＯ．９からＮＯ．１６の回転式クリール用セレクトガイドが随時動作し、複本数のヤーンガイドへ１本づつ糸を受渡し、８本の黒糸の同時整経が開始され、整経本数が４８本になると前記ヤーンガイドからＮＯ．９からＮＯ．１６の回転式クリール用セレクトガイドに糸は収納され、回転式クリールＦ2の同期運転は停止する。
【００７２】
つづいて、固定式クリールが選択され、ＮＯ．ｂの固定式クリール用セレクトガイドが動作し、複本数のヤーンガイドの１個のヤーンガイドへ糸を受渡し、赤の糸２本が整経されるとヤーンガイドからＮＯ．ｂの固定式クリール用セレクトガイドに糸は収納される。
【００７３】
つづいて、回転式クリールＦ2が選択され、ヤーンガイドの回転に合せ、回転式クリールＦ2が同期運転を始め、回転式クリールＦ2に対応したＮＯ．９からＮＯ．１６の回転式クリール用セレクトガイドが随時動作し、複本数のヤーンガイドへ１本づつ糸を受渡し、８本の黒糸の同時整経が開始され、整経本数が４８本になると前記ヤーンガイドからＮＯ．９からＮＯ．１６の回転式クリール用セレクトガイドに糸は収納され、回転式クリールＦ2の同期運転は停止する。
【００７４】
つづいて、固定式クリールが選択され、ＮＯ．ａの固定式クリール用セレクトガイドが動作し、複本数のヤーンガイドの１個のヤーンガイドへ糸を受渡し黄の糸２本が整経されると、ヤーンガイドからＮＯ．ａの固定式クリール用セレクトガイドに糸は収納される。
【００７５】
つづいて回転式クリールＦ1が選択され、ヤーンガイドの回転に合せ、回転式クリールＦ1が同期運転を始め、回転式クリールＦ1に対応したＮＯ．１からＮＯ．８の回転式クリール用セレクトガイドが随時動作し、複本数のヤーンガイドへ１本づつ糸を受渡し、８本の緑糸の同時整経が開始され、整経本数が９６本になると前記ヤーンガイドからＮＯ．１からＮＯ．８の回転式クリール用セレクトガイドに糸は収納され、回転式クリールＦ1の同期運転は停止する。
【００７６】
以上で１柄分の３４４本の整経が終了し、同じくこのデザインを整経総本数３４４０本まで整経が進行すると機械は停止し、整経は終了する。
【００７７】
整経ドラムの周長は７メートルのドラムを使用したので整経長の１０５メートルは糸をドラムに１５回巻付ければ１０５メートルとなり、固定式クリールを使用しての整経ではヤーンガイドが１５回回転すれば１本、回転式クリールを使用して８本同時整経ではヤーンガイドが１５回回転すれば８本の整経本数となる。
【００７８】
ここで整経糸速を１０００ｍ／分として、▲１▼ 固定式クリールのみを使用した整経時間、▲２▼ 回転式クリール１台と固定式クリール１台を使用した整経時間
及び▲３▼回転式クリール２台と固定式クリール１台を使用した整経時間の比較をすると、▲１▼：▲２▼：▲３▼＝３６１分：１８５分：５３分となり、例えば２台の回転式クリールと１台の固定式クリールを設けた本発明のサンプル整経機を用いて整経すれば大幅な整経時間の短縮となる。
【００７９】
【発明の効果】
以上述べたごとく、本発明によれば、無地整経と柄整経とが混在するデザインの整経において無地整経のパターン（配色）が２通り以上ある整経の整経時間を大幅に短縮して極めて効率よく整経を行うことができるという効果を奏するものである。
【図面の簡単な説明】
【図１】 本発明のサンプル整経機の一つの実施の形態を示す斜視的概略説明図である。
【図２】 本発明のサンプル整経機の別の実施の形態を示す斜視的概略説明図である。
【図３】  本発明のサンプル整経機のさらに別の実施の形態を示す斜視的概略説明図である。
【図４】  本発明のサンプル整経機の第二の実施の形態を示す斜視的概略説明図である。
【図５】  回転式クリールを２台用いた場合の整経指図書の一例を示す図表である。
【図６】 回転式クリールを２台用いた場合の柄整経の一例を示す説明図である。
【図７】  回転式クリールを２台用いた場合の回転式クリールの糸配置の一例を示す図表である。
【図８】 回転式クリールを２台用いた場合のデザイン条件入力例を示す図表である。
【図９】  回転式クリールを２台と固定式クリールを１台用いた場合の整経指図書の一例を示す図表である。
【図１０】回転式クリールを２台と固定式クリールを１台用いた場合の柄整経の一例を示す説明図である。
【図１１】回転式クリールを２台と固定式クリールを１台用いた場合のデザイン条件入力例を示す図表である。
【図１２】 従来の固定式クリール及び回転式クリールを併用したサンプル整経機を示す斜視的概略説明図である。
【図１３】糸セレクトガイドの取り付け状態を示す摘示説明図である。
【図１４】糸セレクトガイドの動作を示す第一の摘示説明図である。
【図１５】糸セレクトガイドの動作を示す第二の摘示説明図である。
【符号の説明】
６，６ａ〜６ｈ：ヤーンガイド、６’：先端糸保持部、１６：ドラムスポーク、１７：コンベアベルト、１８ａ〜１８ｇ：綾取りバー、２２，２２ｋ〜２２ｎ，２２ｐ：糸、２７：回転式クリール用糸セレクトガイド又は固定式クリール用糸セレクトガイド、２９：ロータリーソレノイド、３２：糸外し装置、５９：導糸カバー、５９ａ：ガイドバー、１０６，１１６，１２６：ボビン、Ａ：整経ドラム、Ｂ：固定式クリール、Ｅ：糸止め具、Ｆ，Ｆ1，Ｆ2：回転式クリール、Ｓ：ストッパ板、Ｙ：基台、Ｗ：サンプル整経機。
【図１】
0003880332.tif 000002
【図２】
0003880332.tif 000003
【図３】
0003880332.tif 000004
【図４】
0003880332.tif 000005
【図５】
0003880332.tif 000006
【図６】
0003880332.tif 000007
【図７】
0003880332.tif 000008
【図８】
0003880332.tif 000009
【図９】
0003880332.tif 000010
【図１０】
0003880332.tif 000011
【図１１】
0003880332.tif 000012
【図１２】
0003880332.tif 000013
【図１３】
0003880332.tif 000014
【図１４】
0003880332.tif 000015
【図１５】
0003880332.tif 000016